(57)【要約】【課題】  その場で行うべき入力操作量を低減し、可用性を向上させるとともに、個人情報の保護を図ることのできる電子掲示板システムを提供する。【解決手段】  電子掲示板装置１が、表示の対象となる表示対象情報と、表示対象情報に係る送信用情報とを関連付けて記憶しており、表示対象情報の少なくとも一部の情報を表示し、情報表示部に表示された情報の少なくとも一部を指定する操作を受け入れ、この受け入れた操作によって指定された情報に関連づけて記憶されている送信用情報をユーザ側携帯端末２へ送出する電子掲示板システムである。【選択図】        図１
2007026169.tif 000002
【特許請求の範囲】
【請求項１】
電子掲示板装置と、ユーザ側端末と、を含み、
前記電子掲示板装置は、
表示の対象となる表示対象情報と、表示対象情報に係る送信用情報とを関連付けて記憶する記憶部と、
前記表示対象情報の少なくとも一部の情報を表示する情報表示部と、
前記情報表示部に表示された情報の少なくとも一部を指定する操作を受け入れる操作受入部と、
前記受け入れた操作によって指定された情報に関連づけて記憶されている送信用情報を、前記記憶部から読み出して、前記ユーザ側端末へ送出する送出部と、
を含む、ことを特徴とする  電子掲示板システム。
【請求項２】
ユーザ側端末と通信可能な電子掲示板装置であって、
表示の対象となる表示対象情報と、表示対象情報に係る送信用情報とを関連付けて記憶する記憶部と、
前記表示対象情報の少なくとも一部の情報を表示する情報表示部と、
前記情報表示部に表示された情報の少なくとも一部を指定する操作を受け入れる操作受入部と、
前記受け入れた操作によって指定された情報に関連づけて記憶されている送信用情報を、前記記憶部から読み出して、前記ユーザ側端末へ送出する送出部と、
を含むことを特徴とする電子掲示板装置。
【請求項３】
請求項２に記載の電子掲示板装置であって、
前記操作受入部によって指定された情報を識別する識別情報と、予め電子掲示板装置ごとに固有に設定された識別子とを関連づけて、指示履歴情報として保持し、
当該保持している指示履歴情報が、所定集計処理に供されることを特徴とする電子掲示板装置。
【請求項４】
ユーザ側端末と通信可能に接続され、表示の対象となる表示対象情報と、表示対象情報に係る送信用情報とを関連付けて記憶する記憶部を備えた電子掲示板装置を用い、
前記表示対象情報の少なくとも一部の情報を表示する工程と、
前記表示された情報の少なくとも一部を指定する操作を受け入れる工程と、
前記受け入れた操作によって指定された情報に関連づけて記憶されている送信用情報を、前記記憶部から読み出して、前記ユーザ側端末へ送出する工程と、
を実行することを特徴とする電子掲示板装置の制御方法。
【請求項５】
ユーザ側端末と通信可能に接続され、表示の対象となる表示対象情報と、表示対象情報に係る送信用情報とを関連付けて記憶する記憶部を備えたコンピュータに、
前記表示対象情報の少なくとも一部の情報を表示する手順と、
前記表示された情報の少なくとも一部を指定する操作を受け入れる手順と、
前記受け入れた操作によって指定された情報に関連づけて記憶されている送信用情報を、前記記憶部から読み出して、前記ユーザ側端末へ送出する手順と、
を実行させることを特徴とするプログラム。
【発明の詳細な説明】
【技術分野】
【０００１】
本発明は、街頭等に設置され、情報表示等を行う電子掲示板装置を備えた電子掲示板システムに関する。
【背景技術】
【０００２】
従来より、街頭等、公共の場合での情報表示デバイスとして大型ディスプレイが利用されている。特許文献１には、情報を表示するフラット電子ディスプレイと、タッチ式パネルからなる情報表示板であって、指先もしくは専用ペンでの入力操作を可能としたものが開示されている。この特許文献１の情報表示板を用いると、例えばセミナーの広告を表示するとともに、当該セミナーへの参加登録を受付けることが可能となる。
【特許文献１】特開２０００−６６８４０号公報
【発明の開示】
【発明が解決しようとする課題】
【０００３】
しかしながら、上記従来例の情報表示板では、ユーザは、タッチ式パネルを操作して参加登録に係る情報として、氏名や住所等の情報を入力することになっている。従って情報の入力中は情報表示板近傍に拘束され、情報表示板の占有時間が長くなり、可用性が低下する。また、氏名、住所等の個人情報が、確認のために表示されると、当該個人情報が公共の眼に晒されるおそれもある。
【０００４】
本発明は、上述の従来の実情に鑑みてなされたものであり、その場で行うべき入力操作量を低減し、可用性を向上させるとともに、個人情報の保護を図ることのできる電子掲示板システムを提供することをその目的の一つとする。
【課題を解決するための手段】
【０００５】
上記従来例の問題点を解決するための本発明は、電子掲示板装置と、ユーザ側端末と、を含む電子掲示板システムであって、前記電子掲示板装置は、表示の対象となる表示対象情報と、表示対象情報に係る送信用情報とを関連付けて記憶する記憶部と、前記表示対象情報の少なくとも一部の情報を表示する情報表示部と、前記情報表示部に表示された情報の少なくとも一部を指定する操作を受け入れる操作受入部と、前記受け入れた操作によって指定された情報に関連づけて記憶されている送信用情報を、前記記憶部から読み出して、前記ユーザ側端末へ送出する送出部と、を含む、ことを特徴としている。
【０００６】
また、上記従来例の問題点を解決するための本発明は、ユーザ側端末と通信可能な電子掲示板装置であって、表示の対象となる表示対象情報と、表示対象情報に係る送信用情報とを関連付けて記憶する記憶部と、前記表示対象情報の少なくとも一部の情報を表示する情報表示部と、前記情報表示部に表示された情報の少なくとも一部を指定する操作を受け入れる操作受入部と、前記受け入れた操作によって指定された情報に関連づけて記憶されている送信用情報を、前記記憶部から読み出して、前記ユーザ側端末へ送出する送出部と、を含むことを特徴としている。
【０００７】
ここで、前記操作受入部によって指定された情報を識別する識別情報と、予め電子掲示板装置ごとに固有に設定された識別子とを関連づけて、指示履歴情報として保持し、当該保持している指示履歴情報が、所定集計処理に供されることとしてもよい。
【０００８】
さらに、本発明の一態様に係る電子掲示板装置の制御方法は、ユーザ側端末と通信可能に接続され、表示の対象となる表示対象情報と、表示対象情報に係る送信用情報とを関連付けて記憶する記憶部を備えた電子掲示板装置を用い、前記表示対象情報の少なくとも一部の情報を表示する工程と、前記表示された情報の少なくとも一部を指定する操作を受け入れる工程と、前記受け入れた操作によって指定された情報に関連づけて記憶されている送信用情報を、前記記憶部から読み出して、前記ユーザ側端末へ送出する工程と、を実行することを特徴としている。
【０００９】
また、本発明の別の態様に係るプログラムは、ユーザ側端末と通信可能に接続され、表示の対象となる表示対象情報と、表示対象情報に係る送信用情報とを関連付けて記憶する記憶部を備えたコンピュータに、前記表示対象情報の少なくとも一部の情報を表示する手順と、前記表示された情報の少なくとも一部を指定する操作を受け入れる手順と、前記受け入れた操作によって指定された情報に関連づけて記憶されている送信用情報を、前記記憶部から読み出して、前記ユーザ側端末へ送出する手順と、を実行させることを特徴としている。
【発明を実施するための最良の形態】
【００１０】
本発明の実施の形態について図面を参照しながら説明する。本発明の実施の形態に係る電子掲示板システムは、図１に示すように、電子掲示板装置としてのディスプレイ装置１と、ユーザ側携帯端末２と、ホストコンピュータ３とを含んで構成されている。
【００１１】
ここでディスプレイ装置１は、図２に示すように、制御部１１と、記憶部１２と、ハードディスク１３と、表示部１４と、操作部１５と、送信部１６と、インタフェース（ＩＦ）部１７とを含んで構成されている。
【００１２】
ここで、制御部１１は、記憶部１２やハードディスク１３に格納されているプログラムに従って動作しており、表示の対象となる情報の表示処理を実行する。また、この制御部１１は、ユーザによって表示している情報が指定されると、ユーザ側携帯端末２に当該指定された情報に関する送信対象の情報を送信する等の処理（情報提供処理）を実行している。これら制御部１１の処理の具体的内容については後に述べる。
【００１３】
記憶部１２は、ＲＡＭなどの記憶素子を含んで構成される。制御部１１によって実行されるプログラムをハードディスク１３から読み出して保持する。またこの記憶部１２は制御部１１が生成する情報を保持するワークメモリとしても動作する。
【００１４】
ハードディスク１３は、制御部１１によって実行されるプログラムを格納したコンピュータ可読な記憶媒体である。本実施の形態においては、このハードディスク１３には、図３のテーブルに示すように、表示の対象となる表示対象情報と、表示対象情報がユーザにより指定されたときにユーザ側携帯端末２へと送信するべき送信用情報と、を関連付けて記憶している。また、このハードディスク１３は、各表示対象情報に対して、指定された回数の情報を図４に示すように関連づけて格納している。さらにハードディスク１３には、ディスプレイ装置１ごとに固有に、予め割り当てられた識別情報が格納されていてもよい。
【００１５】
表示部１４は、例えば、プラズマディスプレイ等であり、制御部１１から入力される指示に従って利用者に対して情報を提示する。操作部１５は、利用者の操作内容を制御部１１に出力する。本実施の形態においては、この操作部１５は、ユーザが触れた位置を検出する、例えば超音波式、赤外線検知式、圧力式等のタッチパネルを表示部１４にオーバーレイして配置したものを含んでもよい。
【００１６】
送信部１６は、例えば赤外線やブルートゥース（Bluethooth）等の通信デバイスである。この送信部１６は、制御部１１から入力される指示に従って、送信対象の情報を無線にて放射する。
【００１７】
ＩＦ部１７は、例えばネットワークインタフェースであり、ネットワークを介して、ホストコンピュータ３に、ハードディスク１３に格納された情報を送信する。また、このＩＦ部１７は、ユーザ側携帯端末２からネットワークを介した入力を受付けて制御部１１に出力する。
【００１８】
ユーザ側端末装置２は、例えば携帯電話機であり、図５に示すように、操作部２１と、表示部２２と、第１通信部２３と、第２通信部２４と、制御部２５と、記憶部２６とを含んで構成される。
【００１９】
ここで操作部２１は、テンキーや、機能キーなどのキーパッドであり、ユーザの入力操作に応じて、数値や文字列の情報を制御部２５に出力する。表示部２２は、液晶ディスプレイ等であり、制御部２５から入力される指示に従って、情報を表示する。
【００２０】
第１通信部２３は、携帯電話網を介してネットワーク上のコンピュータや、他の携帯電話機等との間で通信を行うものであり、制御部２５から入力される指示に従って、指定された宛先へのデータを送出し、また、携帯電話網側から受信されるデータを制御部２５に出力する。
【００２１】
第２通信部２４は、赤外線や、ブルトゥース等、第１通信部２３の通信エリアに比べて、比較的近距離の通信を行うものであり、外部からデータを受信して制御部２５に出力している。
【００２２】
制御部２５は、ＣＰＵ等であり、記憶部２６に格納されているプログラムに従って動作している。この制御部２５は、一般的な携帯電話機におけるような電話通信に係る制御を行うほか、第２通信部２４が受信したデータを利用する処理や、第１通信部２３を介してネットワーク上のコンピュータにアクセスする処理などを実行する。この制御部２５の処理内容例についても後に述べる。
【００２３】
記憶部２６は、ＲＡＭやＲＯＭなどの記憶素子を含んで構成される。この記憶部２６には、制御部２５によって実行されるプログラムや、制御部２５によって利用される電話帳データ等が格納されている。また、この記憶部２６は、制御部２５のワークメモリとしても動作する。
【００２４】
なお、このユーザ側端末装置２は、マイクやスピーカー等を備えてもよいが、ここでは、説明を簡便にするため、主として電話機としての機能に係る部分の図示及び詳細な説明を省略する。
【００２５】
ホストコンピュータ３は、ネットワークに接続され、ネットワークを介して、ディスプレイ装置１との間で通信を行い、情報の受信等の処理を行う。また、このホストコンピュータ３は、ユーザ側携帯端末２との間でネットワークを介して通信を行ってもよい。
【００２６】
次に、ディスプレイ装置１の制御部１１と、ユーザ側端末装置２の制御部２５とにおける処理について具体例を挙げて説明する。
【００２７】
ディスプレイ装置１の制御部１１は、ハードディスク１３に格納されている表示対象情報を、表示部１４に表示する。このとき、制御部１１は、複数の表示対象情報を、一斉に表示してもよい（図６）。
【００２８】
また制御部１１は、ユーザが表示している情報の一部を選択指示する操作を行うと、当該操作を受け入れて、選択指示の対象となった情報に関連づけてハードディスク１３に格納されている送信用情報を取得し、当該取得した送信用情報を、送信部１６に出力して、送信させる。
【００２９】
つまりこのディスプレイ装置１は、ユーザが、表示部１４に表示されている情報のうち、一つを選択して指先で触れると、当該触れた位置に表示されている情報が指示操作されたものとして、制御部１１が当該指示された情報に関連づけてハードディスク１３に格納されている送信用情報を取得し、当該取得した送信用情報を、送信部１６に出力して、送信させる。
【００３０】
この送信は、既に述べたように、例えばブルートゥース等の規格に従って行われ、ユーザは、所持しているユーザ側携帯端末２にて当該送信用情報を受信する。
【００３１】
ユーザ側携帯端末２の制御部２５は、ディスプレイ装置１側が送信した送信用情報を受け入れて、この送信用情報を用いた処理を実行する。例えば、ここで送信用情報は、ネットワーク上のウェブページのＵＲＬ（Uniform Resource Locators）であってもよい。この場合、制御部２５は、第１通信部２３を制御して、当該ＵＲＬによって示されるウェブページのデータを取得して表示部２２に表示出力する。そしてユーザは、このウェブページを利用して情報の入力等を行うこととなる。
【００３２】
本実施の形態の電子掲示板システムは、以上の構成を備えてなり、次のように動作する。すなわちセミナーの登録案内等を提供する情報提供者側では、ユーザから情報の入力を受け入れるウェブサイトを生成して、ネットワーク上のウェブサーバ上に保持させる。また、セミナーの登録案内の表示対象情報を生成してディスプレイ装置１のハードディスク１３に格納する。さらに、情報提供者は、上記生成したウェブサイトのＵＲＬを送信用情報として、表示対象情報に関連づけて、ハードディスク１３に格納する。ここでは、ウェブサイトにおいて、ユーザの氏名と住所とを入力させる欄を含むウェブページを提供するものとし、セミナーの登録案内の画像を表示対象情報として格納するとともに、上記ウェブページのＵＲＬを送信用情報として、セミナーの登録案内の画像に関連づけて登録しておくものとする。
【００３３】
ディスプレイ装置１は、ハードディスク１３に格納された表示対象情報を表示する。この処理により、セミナーの登録案内の画像が表示される。ユーザ側携帯端末２を所持したユーザが、このディスプレイ装置１に表示されたセミナーの登録案内を見て、当該セミナーの登録案内の画像が表示されている部分に触れると、ディスプレイ装置１はユーザが当該セミナーの登録案内の画像に触れたことを検出する。そして、ディスプレイ装置１は、当該触れた画像に関連づけて格納されている送信用情報であるＵＲＬを送信する。
【００３４】
こうしてユーザ側携帯端末２は、セミナーへの登録を行うためのウェブページのＵＲＬを、ディスプレイ装置１から受信する。そしてユーザ側携帯端末２は、当該ＵＲＬによって特定されるウェブページの情報を受信する。当該受信したウェブページの画像を表示する。ユーザは、このウェブページに設定されている入力欄に、氏名や住所の情報を入力して、登録を行う。
【００３５】
このように本実施の形態によれば、ユーザは、ディスプレイ装置１に表示されている画像を選択する操作を行うだけで、関連する情報や、情報入力のための画面を、携帯電話機等の端末側で受け取り、当該端末にて情報の入力等を行うことができる。つまり、ディスプレイ装置１に向かって操作を続ける必要がなく、ディスプレイ装置１の占有時間を低減でき、可用性を向上できる。また、ユーザの端末側で情報入力をするので、入力中の情報を盗み見られる機会を低減でき、個人情報の保護を図ることができる。
【００３６】
なお、ここまでの説明では、ディスプレイ装置１は、表示中の情報の選択操作が為されると、予め定められた方法で、当該選択された情報に関連づけられた送信情報を送信することとしている。もっとも、送信の方法は、赤外線やブルートゥース等に限られず、種々のものがあるので、表示部１４に、送信方法の選択を行わせるための画面を表示し、ユーザに送信方法を選択させてもよい。この画面では、赤外線や、ブルートゥース、無線ＬＡＮ、その他、送信方法を選択させるメニューを表示する。そしてディスプレイ装置１は、この表示したメニューから選択された方法で、送信情報を送信する。
【００３７】
ここで送信方法としては、ここまでに示した無線通信方法に限られない。例えばユーザ側携帯端末２がカメラを備えている場合は、ディスプレイ装置１は、送信対象情報に基づいてＱＲコードなどの符号画像を生成して表示部１４に表示して、ユーザ側携帯端末２において撮像させ、復号させるようにしてもよい。
【００３８】
さらに、ここまでの説明では送信対象情報がＵＲＬである場合を例として説明したが、この送信対象情報は、電子メールアドレスであってもよいし、テキストデータや、画像データであってもよい。
【００３９】
また、情報提供者が生成したウェブサイトは、ネットワーク上の図示しないウェブサーバに格納されてもよいし、ホストコンピュータ３に格納されてもよい。この場合、ホストコンピュータ３は、ウェブサーバとしても動作することとなる。
【００４０】
さらにディスプレイ装置１が、図４に示したように、表示対象情報ごとに、ユーザによって選択された回数をカウントしてハードディスク１３に格納して保持している場合、ディスプレイ装置１の制御部１１は、ユーザによる情報の選択操作を受け入れると、当該選択された情報に関連づけられているハードディスク１３に格納されている回数の情報を取得して、当該情報を「１」だけインクリメントして更新する。そして選択指示の対象となった情報に関連づけてハードディスク１３に格納されている送信用情報を取得し、当該取得した送信用情報を、送信部１６に出力して、送信させる。
【００４１】
ホストコンピュータ３は、各地に設置されているディスプレイ装置１から、表示対象情報と選択された回数とを関連づけた情報を、指示履歴情報として取得し、この指示履歴情報に基づく集計処理を実行し、その集計処理の結果を提示するなどの処理を行ってもよい。
【００４２】
さらに、このとき、ディスプレイ装置１ごとに予め固有に割り当てられた識別情報を取得して、各指示履歴情報に関連づけて保持し、これらの指示履歴情報に基づく集計処理を実行し、その集計処理の結果を提示するなどの処理を行ってもよい。
【００４３】
ここで集計処理としては、各地に設置されているディスプレイ装置１から指示履歴情報を取得して保持し、例えば表示対象情報の一つを注目表示対象情報として、各指示履歴情報において、注目表示対象情報に関連づけられている選択回数の総和を演算して、利用度を測定する処理がある。
【００４４】
また、例えば、ディスプレイ装置１の識別情報ごとにディスプレイ装置１の設置場所の情報を関連づけて保持したデータベースを作成しておくことで、設置場所ごとに、注目表示対象情報の選択回数を表示することとしてもよい。この処理により、どの場所で、注目表示対象情報が主として必要とされているのかを知ることができる。
【図面の簡単な説明】
【００４５】
【図１】本発明の実施の形態に係る電子掲示板システムの例を表す構成ブロック図である。
【図２】本発明の実施の形態に係る電子掲示板装置としてのディスプレイ装置の例を表す構成ブロック図である。
【図３】本発明の実施の形態に係る電子掲示板装置における送信用情報の保持例を表す説明図である。
【図４】本発明の実施の形態に係る電子掲示板装置における指示履歴情報の例を表す説明図である。
【図５】本発明の実施の形態に係る電子掲示板システムにおけるユーザ側携帯端末の例を表す構成ブロック図である。
【図６】本発明の実施の形態に係る電子掲示板装置における表示例を表す説明図である。
【符号の説明】
【００４６】
１  ディスプレイ装置、２  ユーザ側携帯端末、３  ホストコンピュータ、１１，２５  制御部、１２，２６  記憶部、１３  ハードディスク、１４，２２  表示部、１５，２１  操作部、１６  送信部、１７  ＩＦ部、２３  第１通信部、２４  第２通信部。
【図１】
2007026169.tif 000003
【図２】
2007026169.tif 000004
【図３】
2007026169.tif 000005
【図４】
2007026169.tif 000006
【図５】
2007026169.tif 000007
【図６】
2007026169.tif 000008